(57)【特許請求の範囲】
【請求項１】
目地の奥方に備えられた構造部に目地内において目地を通じて屋外側からビスで取り付けられるベース部と、該ベース部から屋外側に突出する脚部とを一体に備えたプレート品からなって、該プレート品の厚さ寸法は目地の幅寸法よりも小さく、
前記脚部の幅寸法は目地の幅寸法よりも大きく、
前記ベース部の幅寸法は脚部の幅寸法よりも大きく、該ベース部は、その幅方向を目地の延びる方向に向けた状態にすることで屋外側から目地内に挿入可能であり、
前記脚部の屋外側突出端部には、幅方向の両側をネジ部とした周方向不連続の太鼓形断面の雄ネジ部が設けられ、該雄ネジ部を壁つなぎの間接又は直接の連結部としており、
前記ベース部は、その幅方向の中央部位置において脚部と連接されて、前記プレート品をＴ形にし、脚部から両側方に突出する部分のそれぞれに、前記ビスを通す通孔が、ベース部の厚さ方向と直交する前後方向に向けられて貫通して設けられていることを特徴とする足場の壁つなぎ取付け金物。
【請求項２】
目地の奥方に備えられた構造部に目地内において目地を通じて屋外側からビスで取り付けられるベース部と、該ベース部から屋外側に突出する脚部とを一体に備えたプレート品からなって、該プレート品の厚さ寸法は目地の幅寸法よりも小さく、
前記脚部の幅寸法は目地の幅寸法よりも大きく、
前記ベース部の幅寸法は脚部の幅寸法よりも大きく、該ベース部は、その幅方向を目地の延びる方向に向けた状態にすることで屋外側から目地内に挿入可能であり、
前記脚部の屋外側突出端部には、幅方向の両側をネジ部とした周方向不連続の太鼓形断面の雄ネジ部が設けられ、該雄ネジ部を壁つなぎの間接又は直接の連結部としており、
前記ベース部は、その幅方向の一端側に脚部を備えて、前記プレート品をＬ形にし、ベース部の他端側に、前記ビスを通す通孔が、ベース部の厚さ方向と直交する前後方向に向けられて貫通して設けられていることを特徴とする足場の壁つなぎ取付け金物。
【請求項３】
前記太鼓形断面の雄ネジ部と螺合する第１ネジ孔と、壁つなぎを連結する第２ネジ孔とを有する壁つなぎジョイント部品が、その第１ネジ孔と太鼓形断面の雄ネジ部とを螺合させて付属して備えられている請求項１又は２に記載の足場の壁つなぎ取付け金物。
【発明の詳細な説明】
【技術分野】
【０００１】
本発明は、足場の壁つなぎ取付け金物に関する。
【背景技術】
【０００２】
足場の壁つなぎ取付け金物として、外壁縦目地の奥方に備えられた柱などの構造部に該縦目地を通じてビスで取り付けられるベース部品と、該ベース部品に設けられたネジ孔に螺合連結されて屋外側に突出する脚部品とを構成部品として備え、該脚部品の屋外側突出端部に、足場の壁つなぎを連結する雌ネジ部が設けられた、足場の壁つなぎ取付け金物は、従来より知られている。
【特許文献１】特開平０７−０１８８４８号公報
【特許文献２】実開平０６−０７６５３５号公報
【発明の開示】
【発明が解決しようとする課題】
【０００３】
しかしながら、上記のような取付け金物では、目地の幅寸法が小さい場合、ベース部品の厚さ寸法もそれに応じて小さくしなければならず、そうすると、ベース部品と脚部品とのネジ結合部の耐力を確保するのが難しくなって、足場が不安定で安全性に乏しいものになってしまうという問題がある。
【０００４】
例えば、外壁パネル間の比較的広幅な縦目地をガスケットにて乾式で止水する乾式目地構造を採用する場合、足場設置中にはガスケットの施工をすることができなくなってしまうことから、開口部を備えた外壁パネルにおいて、開口部サッシ枠と外壁面材との間、あるいは、外壁面材間の例えば８ｍｍ程度の狭幅の横目地を通じて壁つなぎの取付けを行う必要があり、そのような場合に、ベース部品と脚部品とのネジ結合部の耐力確保が非常に難しくなってしまう。
【０００５】
本発明は、上記のような問題点に鑑み、目地の幅寸法が小さくても、耐力を充分に確保することができ、しかも、製作容易な、足場の壁つなぎ取付け金物を提供することを課題とする。
【課題を解決するための手段】
【０００６】
上記の課題は、目地の奥方に備えられた構造部に目地内において目地を通じてビスで取り付けられるベース部と、該ベース部から屋外側に突出する脚部とを一体に備えたプレート品からなり、
前記脚部は目地の延びる方向の寸法が目地幅よりも大きく、該脚部の屋外側突出端部には、目地の延びる方向における両側をネジ部とした周方向不連続の太鼓形断面の雄ネジ部が設けられ、該雄ネジ部を壁つなぎの間接又は直接の連結部としていることを特徴とする足場の壁つなぎ取付け金物によって解決される（第１発明）。
【０００７】
この壁つなぎ取付け金物は、ベース部と脚部とを一体に備えたプレート品からなり、脚部は目地の延びる方向の寸法が目地幅よりも大きく設計されているので、目地の幅寸法が小さい場合であっても、ベース部と脚部との連接部分の耐力を充分に確保することができる。
【０００８】
しかも、ベース部と脚部とを一体に備えたプレート品からなっていることにより、製作も容易である。
【０００９】
加えて、このようにプレート品でありながら、脚部の屋外側突出端部には、目地の延びる方向における両側をネジ部とした周方向不連続の太鼓形断面の雄ネジ部が設けられ、該雄ネジ部を壁つなぎの間接又は直接の連結部としているので、目地の幅寸法が小さく、そのために、プレート品のプレート厚が小さくなってしまうような場合でも、壁つなぎの側との連結部分の耐力も充分に確保することができる。
【００１０】
第１発明において、前記太鼓形断面の雄ネジ部と螺合する第１ネジ孔と、壁つなぎを連結する第２ネジ孔とを有する壁つなぎジョイント部品が、その第１ネジ孔と太鼓形断面の雄ネジ部とを螺合させて付属して備えられているとよい（第２発明）。
【００１１】
この場合は、壁つなぎ取付け金物との連結部が雄ネジ部の、市場に広く出回っている壁つなぎを用いることができて、壁つなぎ取付け金物との連結部をネジ孔とした特殊な壁つなぎを使用する必要をなくすことができる。
【発明の効果】
【００１２】
本発明の足場の壁つなぎ取付け金物は、以上のとおりのものであるから、目地の幅寸法が小さくても、耐力を充分に確保することができ、しかも、製作容易である。
【発明を実施するための最良の形態】
【００１３】
次に、本発明の実施最良形態を図面に基づいて説明する。
【００１４】
図１〜図３に示す実施形態の壁つなぎ取付け金物１は、図１（ロ）及び図２（イ）（ロ）に示すように、開口部サッシ枠２を備えた外壁パネル３における上下の外壁面材３ａ，３ｂ間の８ｍｍの横目地４を通じて、その背後の、構造部としての鋼製パネルフレーム３ｃに取り付ける壁つなぎ取付け金物である。図２において、５は隣の外壁パネル、６は鋼製柱であり、図１（ロ）において、７は建物、８は足場、９は壁つなぎである。
【００１５】
図１（イ）に示す壁つなぎ取付け金物１において、１０は金物本体部品、１１はジョイント部品であり、金物本体部品１０において、１２はベース部、１３は脚部である。
【００１６】
金物本体部品１０は、その厚さ寸法が、目地幅寸法である８ｍｍよりも小さい例えば７．６ｍｍの鋼製プレート品からなっていて、ベース部１２と脚部１３とはこのプレート品を構成する部分として一体に備えられている。
【００１７】
ベース部１２は、横目地４の奥方に備えられたパネルフレーム３ｃに対して横目地４内において該横目地４を通じてビス１４，１４で取り付けられるものであり、脚部１３は、ベース部１２の取付け状態においてベース部１２から屋外側に突出する長さ寸法を備えたものからなっている。
【００１８】
脚部１３は、その幅寸法が横目地４の幅寸法よりも大きく、その屋外側突出端部には、横目地４の延びる方向における両側をネジ部１５ａ，１５ａとした周方向不連続の太鼓形断面の雄ネジ部１５が設けられ、該雄ネジ部１５を壁つなぎ９の間接の連結部としている。
【００１９】
ベース部１２は、その幅寸法が脚部１３の幅寸法よりも大きく、ベース部１２の幅方向の中央部位置において脚部１３と連接され、脚部１３から両側方に突出する部分のそれぞれに、前後方向に貫通するビス通孔１６，１６が設けられている。
【００２０】
ジョイント部品１１は、上記の金物本体部品１０と壁つなぎ９とをジョイントする鋼製部品で、上記の金物本体部品１０の脚部１３の屋外側突出端部に設けた太鼓形断面の雄ネジ部１５と螺合する第１ネジ孔１７を一端側に備えると共に、壁つなぎ９に備えられている連結用の雄ネジ部９ａと螺合する第２ネジ孔１８を他端側に備え、該ジョイント部品１１は、第１ネジ孔１７と金物本体部品１０の太鼓形断面の雄ネジ部１５とが螺合されて金物本体部品１０に付属して備えられている。
【００２１】
上記の壁つなぎ取付け金物１を用いた壁つなぎ９の取付けは、図３（イ）（ロ）に示すように、金物本体部品１０のベース部１２を、該ベース部１２を水平に向けた状態で、屋外側から、８ｍｍの横目地４内に挿入し、ベース部１２のビス通孔１６，１６に通したドリルネジなどからなるビス１４，１４をパネルフレーム３ｃに打ち込んでパネルフレーム３ｃに取り付ける。その際、ジョイント部品１１は金物本体部品１０に付属して取り付けられていてもよいし、ジョイント部品１１がビス打ちの妨げになるのであれば、金物本体部品１０から取り外した状態でビス打ちを行い、ビス打ち後に金物本体部品１０に取り付けて付属させるようにしてもよい。しかる後、図２（イ）に示すように、金物本体部品１０に取り付けられたジョイント部品１１の第２ネジ孔１８に、壁つなぎ９の連結用雄ネジ部９ａを螺合して連結すればよい。
【００２２】
１９は位置決め部品であり、この位置決め用部品１９を用いることで、その一端面を外壁パネル３の面材３ａ，３ｂの側面と一致させるように横目地４内に挿入配置し、その状態で、金物本体部品１０のベース部１２をその幅方向の一端が位置決め部品１９の他端面と一致するように横目地４内に挿入配置することにより、金物本体部品１０のベース部１２のビス通孔１６，１６を容易にパネルフレーム３ｃの位置に合わることができる。なお、位置決め部品１９は、目地４内に弾力を利用して位置決め状態に設置することができるよう、ゴム状品やスポンジ状品等の弾性体からなっているとよい。
【００２３】
上記の壁つなぎ取付け金物１によれば、金物本体部品１０が、ベース部１２と脚部１３とを一体に備えたプレート品からなり、脚部１３は横目地４の延びる方向の寸法が横目地４の幅寸法よりも大きく設計されているので、横目地４の幅寸法が上記のように８ｍｍと小さい場合であっても、ベース部１２と脚部１３との連接部分の耐力を充分に確保することができ、しかも、ベース部１２と脚部１３とを一体に備えたプレート品からなっていることにより、金物本体部品１０の製作も容易である。
【００２４】
しかも、金物本体部品１０は、このようにプレート品でありながら、脚部１３の屋外側突出端部には、横目地４の延びる方向における両側をネジ部１５ａ，１５ａとした周方向不連続の太鼓形断面の雄ネジ部１５が設けられ、該雄ネジ部１５を、ジョイント部品１１を介した壁つなぎ９の間接の連結部としているので、横目地４の幅寸法が上記のように小さく、そのために、プレート品のプレート厚が小さくなってしまうような場合でも、ジョイント部品１１との連結部分の耐力も充分に確保することができる。
【００２５】
因みに、上記のような壁つなぎ取付け金物１を用いて壁つなぎ９を建物に連結した場合、単純引張り強度で１０００ｋｇｆ以上を実現することが可能になる。
【００２６】
また、本実施形態では、ジョイント部品１１が付属して備えられているので、壁つなぎ取付け金物１との連結部が雄ネジ部９ａの、市場に広く出回っている壁つなぎ９を用いることができる。
【００２７】
以上に、本発明の実施形態を示したが、本発明はこれに限られるものではなく、発明思想を逸脱しない範囲で各種の変更が可能である。例えば、上記の実施形態では、金物本体部品１０の脚部１３がベース部１２の幅方向中央部に備えられてＴ形をし、ベース部１２の両端部にビス通孔１６，１６が設けられている場合を示したが、脚部がベース部の幅方向の一端側に備えられてＬ形をし、ベース部の他端側に１つ又は複数のビス通孔が設けられた構造などをしていてもよい。
【００２８】
また、上記の実施形態では、金物本体部品１０にジョイント部品１１を付属させて壁つなぎ取付け金物１を構成した場合を示したが、ジョイント部品１１を排除し、金物本体部品１０の太鼓形断面の雄ネジ部１５を壁つなぎの直接の連結部としてもよい。
【００２９】
更に、上記の実施形態では、金物本体部品１０のベース部１２を挿入する横目地４の幅寸法が８ｍｍである場合の構造をしてしているが、目地は縦目地であってもよいし、また、目地の幅寸法は、それよりも大きくても小さくてもよい。
【図面の簡単な説明】
【００３０】
【図１】図（イ）は実施形態の壁つなぎ取付け金物を示す分解斜視図、図（ロ）は足場を壁つなぎで建物に連結した状態の正面図である。
【図２】壁つなぎ取付け金物を建物の構造部であるパネルフレームに取り付けた状態を示すもので、図（イ）は断面平面図、図（ロ）は正面図である。
【図３】図（イ）及び図（ロ）は、壁つなぎ取付け金物の取付け方法を示す断面平面図である。
【符号の説明】
【００３１】
１…壁つなぎ取付け金物
３ｃ…パネルフレーム（構造部）
４…横目地（目地）
９…壁つなぎ
９ａ…連結用雄ネジ部
１０…金物本体部品
１１…ジョイント部品
１２…ベース部
１３…脚部
１４…ビス
１５…太鼓形断面の雄ネジ部
１６…ビス通孔
１７…第１ネジ孔
１８…第２ネジ孔
【図１】
0005179117.tif 000002
【図２】
0005179117.tif 000003
【図３】
0005179117.tif 000004